(57)【要約】【課題】接続相手端子との接続部が円筒形状である端子であっても、端子収容室へ容易に挿入することができつつ、端子収容室内での端子の回転を確実に阻止することができるコネクタを提供する。【解決手段】円筒状の接続部１１０と、底壁１３１ａの両縁を接続部１１０の円形状の端面に沿って起立した一対の起立壁１３１ｂを有する端子１００をコネクタハウジング１０の端子収容室１２に収容するコネクタ１において、仮係止位置にて、端子１００を端子収容室１２への挿入完了位置に誘導可能な円弧状曲面５２を挿入方向に直交方向に並んで形成するとともに隣り合う円弧状曲面５２を間に頂部５３を形成するように連続し、本係止位置にて頂部５３が一対の起立壁１３１ｂの間で底壁１３１ａに向けて突出する位置に配置することによって端子１００を係止する端子ガイド／係止部５１を含む係止部材５０を有する。【選択図】図１
2017059383.tif 000002
【特許請求の範囲】
【請求項１】
接続相手端子との接続部分となる円筒状の接続部と、該接続部と電線への加締め部との間を底面を連続するように連結し、前記底面を形成する底壁の両縁を前記接続部の円形状の端面に沿って起立した一対の起立壁を有する端子をコネクタハウジングの端子収容室に収容するコネクタにおいて、
前記端子収容室への前記端子の挿入方向に直交方向で仮係止位置と本係止位置との間にスライド移動可能に前記コネクタハウジングに取り付け、仮係止位置にて、前記端子を前記端子収容室への挿入完了位置に誘導可能な円弧状曲面を挿入方向に直交方向に並んで形成するとともに隣り合う前記円弧状曲面を間に頂部を形成するように連続し、本係止位置にて前記頂部が前記一対の起立壁の間で前記底壁に向けて突出する位置に配置することによって前記端子を係止する端子ガイド／係止部を含む係止部材
を有することを特徴とするコネクタ。
【請求項２】
前記端子収容室を前記係止部材のスライド移動方向に並んで複数形成し、
前記端子ガイド／係止部は、
前記複数の端子収容室に収容した複数の前記端子を係止するように複数の前記頂部をスライド移動方向に沿って並ぶように形成する
ことを特徴とする請求項１に記載のコネクタ。
【請求項３】
前記係止部材は、
仮係止位置から本係止位置へのスライド移動で、挿入方向に延びる直線を回転軸とする回転方向での正規の姿勢に対して傾いた前記端子の前記加締め部の底面に当接することによって、本係止位置にて前記頂部が前記一対の起立壁の間で前記底壁に向けて突出する係止位置になるように前記端子を回転する端子姿勢矯正当接面を形成した端子姿勢矯正部
を有することを特徴とする請求項１または２に記載のコネクタ。
【発明の詳細な説明】
【技術分野】
【０００１】
本発明は、端子をコネクタハウジングの端子収容室に収容するコネクタに関する。
【背景技術】
【０００２】
従来、コネクタはコネクタハウジングの端子収容室内の所定位置に所定の姿勢で端子を収容するようになっている。
このようなコネクタは弾性係止ランスによって端子を端子収容室内の所定位置に係止する（例えば、特許文献１参照）。
【先行技術文献】
【特許文献】
【０００３】
【特許文献１】特開２０１５−９０８３０号公報
【発明の概要】
【発明が解決しようとする課題】
【０００４】
しかしながら、端子の接続相手端子との接続部分が円筒形状である場合、端子収容室内壁面がその端子形状に対応して円形状になるため、端子が回転方向に動き易くなり、端子が端子収容室の挿入完了位置まで挿入する際に干渉し難くすることにより端子収容室へ容易に挿入することができる形状であり、しかも、端子が端子収容室から引き抜かれることを防止することを主な機能とする弾性係止ランスでは、端子の回転を抑えることが難しいという問題があった。
【０００５】
本発明は、上記に鑑みてなされたものであって、接続相手端子との接続部分が円筒形状である端子であっても、端子収容室へ容易に挿入することができつつ、端子収容室内での端子の回転を確実に阻止することができるコネクタを提供することを目的とする。
【課題を解決するための手段】
【０００６】
上述した課題を解決し、目的を達成するために、本発明の請求項１に係るコネクタは、接続相手端子との接続部分となる円筒状の接続部と、該接続部と電線への加締め部との間を底面を連続するように連結し、前記底面を形成する底壁の両縁を前記接続部の円形状の端面に沿って起立した一対の起立壁を有する端子をコネクタハウジングの端子収容室に収容するコネクタにおいて、前記端子収容室への前記端子の挿入方向に直交方向で仮係止位置と本係止位置との間にスライド移動可能に前記コネクタハウジングに取り付け、仮係止位置にて、前記端子を前記端子収容室への挿入完了位置に誘導可能な円弧状曲面を挿入方向に直交方向に並んで形成するとともに隣り合う前記円弧状曲面を間に頂部を形成するように連続し、本係止位置にて前記頂部が前記一対の起立壁の間で前記底壁に向けて突出する位置に配置することによって前記端子を係止する端子ガイド／係止部を含む係止部材を有することを特徴とする。
【０００７】
また、本発明の請求項２に係るコネクタは、上記の発明において、前記端子収容室を前記係止部材のスライド移動方向に並んで複数形成し、前記端子ガイド／係止部は、前記複数の端子収容室に収容した複数の前記端子を係止するように複数の前記頂部をスライド移動方向に沿って並ぶように形成することを特徴とする。
【０００８】
また、本発明の請求項３に係るコネクタは、上記の発明において、前記係止部材は、仮係止位置から本係止位置へのスライド移動で、挿入方向に延びる直線を回転軸とする回転方向での正規の姿勢に対して傾いた前記端子の前記加締め部の底面に当接することによって、本係止位置にて前記頂部が前記一対の起立壁の間で前記底壁に向けて突出する係止位置になるように前記端子を回転する端子姿勢矯正当接面を形成した端子姿勢矯正部を有することを特徴とする。
【発明の効果】
【０００９】
本発明の請求項１に係るコネクタは、前記係止部材を仮係止位置に位置した状態で、前記端子を前記端子収容室に挿入すると、前記係止部材の前記円弧状曲面が前記端子を挿入完了位置まで誘導するガイド機能をなし、前記係止部材を仮係止位置から本係止位置にスライド移動すると、前記係止部材の前記頂部が前記一対の起立壁の間で前記底壁に向けて突出する位置に配置するので、前記端子に前記端子の挿入方向に延びる直線を回転軸とする回転方向に外力が作用することによって、前記端子が回転した場合、前記一対の起立壁の各起立壁の端縁面が前記円弧状曲面に当接することによって回転が阻止されるので、接続相手端子との接続部分が円筒形状である端子であっても、端子収容室へ容易に挿入することができつつ、端子収容室内での端子の回転を確実に阻止することができる。
【００１０】
本発明の請求項２に係るコネクタは、前記係止部材が前記複数の端子収容室に収容した複数の前記端子を係止するように複数の前記頂部をスライド移動方向に沿って並ぶように形成しているので、スライド移動方向に並ぶ前記複数の端子収容室に収容した前記複数の端子を、仮係止位置では挿入完了位置まで誘導することができ、本係止位置ではまとめて係止することができる。
【００１１】
本発明の請求項３に係るコネクタは、前記係止部材を仮係止位置から本係止位置へスライド移動すると、前記端子姿勢矯正部によって前記端子を挿入方向に延びる直線を回転軸とする回転方向での正規の姿勢に矯正することができるので、前記端子を回転方向での姿勢を気にせずに端子収容室の挿入完了位置まで挿入することができ、結果的に、前記端子を前記端子収容室に挿入する作業を容易にすることができる。
【図面の簡単な説明】
【００１２】
【図１】図１は、本発明の実施例１に係るコネクタの分解斜視図である。
【図２】図２は、コネクタの斜視図である。
【図３】図３は、コネクタの断面図であり、図中上段の端子収容室に端子を収容した状態を示した図である。
【図４】図４は、係止部材の斜視図である。
【図５】図５は、端子付き電線の斜視図である。
【図６】図６は、（ａ）が接続相手コネクタとの嵌合側正面から視たコネクタの正面図であり、（ｂ）が係止部材挿入口側から視たコネクタの側面図であり、係止部材が仮係止位置にある状態を示した図である。
【図７】図７は、（ａ）が接続相手コネクタとの嵌合側正面から視たコネクタの正面図であり、（ｂ）が係止部材挿入口側から視たコネクタの側面図であり、係止部材が本係止位置にある状態を示した図である。
【図８】図８は、（ａ）が図５（ｂ）に示したコネクタのＡ−Ａ線断面図を示し、（ｂ）が図６（ｂ）に示したコネクタのＢ−Ｂ断面図である。
【図９】図９は、端子が係止部材によって端子収容室内での回転を規制されることを説明するための図である。
【図１０】図１０は、本発明の実施例２に係るコネクタの分解斜視図である。
【図１１】図１１は、コネクタの断面図であり、図中上段の端子収容室に端子を収容した状態を示した図である。
【図１２】図１２は、図１に示した係止部材の斜視図である。
【図１３】図１３は、（ａ）が係止部材が仮係止位置にあるコネクタの断面図を示し、（ｂ）が係止部材が本係止位置にあるコネクタの断面図である。
【図１４】図１４は、端子が係止部材によって端子収容室内で正規の姿勢に矯正されることを説明するための図である。
【発明を実施するための形態】
【００１３】
以下、図面を参照して、本発明に係るコネクタの好適な実施例を詳細に説明する。
【実施例１】
【００１４】
図１は、本発明の実施例１に係るコネクタ１の分解斜視図である。図２は、コネクタ１の斜視図である。図３は、コネクタ１の断面図であり、図中上段の端子収容室１２に端子１００を収容した状態を示した図である。図４は、係止部材５０の斜視図である。図５は、端子付き電線ＣＷの斜視図である。図６は、（ａ）が接続相手コネクタとの嵌合側正面から視たコネクタ１の正面図であり、（ｂ）が係止部材挿入口１４ａａ側から視たコネクタ１の側面図であり、係止部材５０が仮係止位置にある状態を示した図である。図７は、（ａ）が接続相手コネクタとの嵌合側正面から視たコネクタ１の正面図であり、（ｂ）が係止部材挿入口１４ａａ側から視たコネクタ１の側面図であり、係止部材５０が本係止位置にある状態を示した図である。図８は、（ａ）が図５（ｂ）に示したコネクタ１のＡ−Ａ線断面図を示し、（ｂ）が図６（ｂ）に示したコネクタ１のＢ−Ｂ断面図である。図９は、端子１００が係止部材５０によって端子収容室１２内での回転を規制されることを説明するための図である。
本発明の実施例に係るコネクタ１は、例えば、カメラに用いるコネクタであり、接続相手端子との接続部分となる円筒状の接続部１１０と、接続部１１０と電線Ｗへの加締め部１２１との間を底面を連続するように連結し、底面を形成する底壁１３１ａの両縁を接続部１１０の円形状の端面に沿って起立した一対の起立壁１３１ｂ、１３１ｂを有する端子１００をコネクタハウジング１０の端子収容室１２に収容するものである。
【００１５】
このコネクタ１は、端子収容室１２に収容する端子１００を電線Ｗの端末部に取り付けた複数の端子付き電線ＣＷと、コネクタハウジング１０と、端子１００を端子収容室１２内に係止する係止部材５０と、コネクタハウジング１０の不図示の接続相手コネクタとの嵌合部分を液密に封止する嵌合側シール部材２０と、コネクタハウジング１０の端子付き電線ＣＷの電線引き出し口側を液密に封止する電線引き出し側シール部材３０と、電線引き出し側シール部材３０をコネクタハウジング１０に固定しつつ電線引き出し側シール部材３０の取り付け口を塞ぐカバー部材４０と、を有する。
【００１６】
まず、端子付き電線ＣＷについて説明する。
端子付き電線ＣＷは、図５に示すように、加締め部１２０によって端子１００を電線Ｗの端末部に固定するようになっている。
【００１７】
端子１００は、金属板材を曲げ加工等することによって形成し、接続部１１０と、加締め部１２０と、連結部１３０と、を有する。
【００１８】
接続部１１０は、端子１００の先端部分をなし、筒内に不図示の接続相手端子の接続部分を挿入することによって接続相手端子に接続するようになっている。
【００１９】
加締め部１２０は、電線Ｗの端末部の絶縁被覆Ｗ２を皮剥きすることによって露出した芯線部Ｗ１を加締める芯線加締め部１２１と、電線Ｗの絶縁被覆Ｗ２を皮剥ぎしていない部分を加締める被覆加締め部１２２と、を有する。
【００２０】
芯線加締め部１２１は、後述する第一連結部１３１の底壁１３１ａに連続する底壁１２１ａを有し、底壁１２１ａの両縁に設けた一対の加締め片１２１ｂ、１２１ｂの端面を略中央位置で合わせるようにして加締めることによって電線Ｗの芯線部Ｗ１に固定する部分である。
【００２１】
被覆加締め部１２２は、芯線加締め部１２１の底壁１２１ａと連続する底壁１２２ａを有し、底壁１２２ａの両縁に設けた一対の加締め片１２２ｂ、１２２ｂを電線Ｗの絶縁被覆Ｗ２を皮剥ぎしていない部分に加締めることによって電線Ｗに固定する部分である。
【００２２】
連結部１３０は、接続部１１０と芯線加締め部１２１との間を連結する第一連結部１３１と、芯線加締め部１２１と被覆加締め部１２２との間を連結する第二連結部１３２と、を有する。
【００２３】
第一連結部１３１は、接続部１１０と芯線加締め部１２１との間を底面を連続するように連結し、底面を形成する底壁１３１ａと、底壁１３１ａの両縁を接続部１１０の円形状の端面に沿って起立した一対の起立壁１３１ｂ、１３１ｂと、を有する。
【００２４】
一対の起立壁１３１ｂ、１３１ｂは、底壁１３１ａから円弧状に屈曲して起立している。このため、一対の起立壁１３１ｂ、１３１ｂの間に係止部材５０の後述する頂部５３が配置されると、端子１００が端子収容室１２内で回転した場合、起立壁１３１ｂの端縁面１３１ｃが係止部材５０の後述する円弧状曲面５２に当接し易いようになっている。
【００２５】
第二連結部１３２は、芯線加締め部１２１と被覆加締め部１２２との間を底面を連続するように連結する部分である。
【００２６】
次に、コネクタハウジング１０について説明する。
コネクタハウジング１０は、絶縁性の合成樹脂材からなり、複数の端子収容室１２を形成した端子収容部１１と、端子収容部１１の一部外周を囲うようにフード状に形成したフード部１３と、電線引き出し側シール部材３０を保持収容するシール部材保持収容部１６ａと、カバー部材４０を保持収容するカバー部材保持収容部１６ｂと、を有する。
【００２７】
端子収容部１１は、接続相手コネクタとの嵌合方向に向けてブロック状に突出したブロック状本体１１ａを有し、複数の端子収容室１２をこのブロック状本体１１ａを嵌合方向に貫通するように形成している。
【００２８】
端子収容室１２は、端子１００の接続部１１０の外形に対応した略円状の内壁面を端子１００の挿入方向に延びるように形成している。
この端子収容室１２は、ブロック状本体１１ａの接続相手コネクタとの嵌合側端面に位置する開口が接続相手端子を挿入する接続相手端子挿入口１２ａとなり、ブロック状本体１１ａの逆側端面に位置する開口が端子１００を挿入するための端子挿入口１２ｂになっている。
【００２９】
なお、この実施例では、コネクタハウジング１０は、ブロック状本体１１ａに、係止部材５０のスライド移動方向に並ぶ３つの端子収容室１２を２列並んで形成している。すなわち、コネクタハウジング１０は、ブロック状本体１１ａに６つの端子収容室１２を形成している。
【００３０】
また、端子収容部１１は、係止部材５０を端子収容室１２への端子１００の挿入方向に直交方向で仮係止位置と本係止位置との間にスライド移動可能に取り付けることができる係止部材スライド取付部１４を有する。
【００３１】
係止部材スライド取付部１４は、係止部材５０を端子１００の挿入方向に直交する方向でスライド移動させながら挿入することができるようにブロック状本体１１ａに形成した係止部材挿入空間１４ａと、係止部材５０の後述する仮係止突起５４、および、本係止突起５５のそれぞれに係合することによって係止部材５０を係止部材挿入空間１４ａ内へのスライド移動方向で仮係止位置と本係止位置とで係止する位置決め係合部１４ｂと、を有する。
【００３２】
係止部材挿入空間１４ａは、係止部材５０のスライド移動方向に直交する断面の形状に対応した係止部材挿入口１４ａａをブロック状本体１１ａの一側面に形成し、その係止部材挿入口１４ａａから複数の端子収容室１２を横切るようにして、端子１００の挿入方向に直交方向にブロック状本体１１ａを貫通する空間である。
この係止部材挿入空間１４ａを形成する壁面は、各端子収容室１２に対応する部分が端子収容室１２の内壁面の形状に対応して円弧状の曲面１４ａｂ（図８参照）になっている。
【００３３】
位置決め係合部１４ｂは、係止部材５０の仮係止突起５４、および、本係止突起５５を嵌め込み可能な凹状に形成した部分である。この位置決め係合部１４ｂは、係止部材５０を係止部材挿入口１４ａａから挿入して、係止部材挿入空間１４ａ内にスライド移動すると、係止部材５０の仮係止突起５４が係合することによって係止部材５０を仮係止位置で係止する。
また、位置決め係合部１４ｂは、係止部材５０を仮係止位置からさらに係止部材挿入空間１４ａの内方にスライド移動すると、係止部材５０の本係止突起５５が係合することによって係止部材５０を本係止位置で係止する。
【００３４】
フード部１３は、接続相手コネクタの嵌合側端部外周面に沿って被さるようにして嵌合する部分であり、環状の嵌合側シール部材２０をブロック状本体１１ａの基端位置まで通すことによってフード内に取り付けることができるようになっている。
このため、フード部１３および嵌合側シール部材２０によって、コネクタ１と接続相手コネクタとの嵌合部分を液密に封止することができるようになっている。
【００３５】
シール部材保持収容部１６ａは、端子収容部１１の電線引き出し側の端面から電線引き出し方向に開口を向けるようにコネクタハウジング１０に形成した周壁１５によって形成する。すなわち、シール部材保持収容部１６ａは、周壁１５によって形成した収容空間に電線引き出し側シール部材３０を収容することによって電線引き出し側シール部材３０を所定位置に保持する。
なお、電線引き出し側シール部材３０は、周壁１５の内周面外形寸法に比して僅かに大きい外形寸法に調整している。また、電線引き出し側シール部材３０は、各端子収容室１２に向けて端子付き電線ＣＷを液密に挿通するための電線挿通孔３０ａを形成している。
【００３６】
このような電線引き出し側シール部材３０は、弾性を利用して圧縮しつつ周壁１５内の端子収容部１１の電線引き出し側の端面まで押し込むことによって周壁１５の開口を液密に封止する。
【００３７】
カバー部材保持収容部１６ｂは、周壁１５によって形成した収容空間のうち電線引き出し側シール部材３０の収容位置に比して開口側に位置する収容空間を利用してカバー部材４０を保持収容するようになっている。
なお、カバー部材４０は、周壁１５の内周面外形寸法に比して僅かに小さい外形寸法に調整している。また、カバー部材４０は、電線引き出し側シール部材３０に向けて各端子付き電線ＣＷを周壁１５の開口側から挿通するための電線挿通孔４０ａを形成している。
【００３８】
また、カバー部材４０は、周壁１５によって形成した収容空間１６内に固定するため、周壁１５に設けた不図示の係合部に係合する係合突起４０ｂを有する。
このため、カバー部材４０は、電線引き出し側シール部材３０を端子収容部１１の電線引き出し側の端面に向けて圧縮した状態で収容空間１６内に保持することができるようになっている。
【００３９】
次に、係止部材５０について説明する。
係止部材５０は、端子収容室１２への端子１００の挿入方向に直交方向で仮係止位置と本係止位置との間にスライド移動可能にコネクタハウジング１０に取り付け、仮係止位置にて、端子１００を端子収容室１２への挿入完了位置に誘導可能な円弧状曲面５２を挿入方向に直交方向に並んで形成するとともに隣り合う円弧状曲面５２を間に頂部５３を形成するように連続し、本係止位置にて頂部５３が一対の起立壁１３１ｂ、１３１ｂの間で底壁１３１ａに向けて突出する位置に配置することによって端子１００を係止する端子ガイド／係止部５１を含む。
【００４０】
この係止部材５０は、絶縁性の合成樹脂材からなり、図４に示すように、端子ガイド／係止部５１と、位置決め係合部１４ｂに係合することによって係止部材５０をスライド移動方向Ｄで仮係止位置および本係止位置に位置決め係止する仮係止突起５４および本係止突起５５と、作業者が係止部材５０をスライド移動方向Ｄに移動操作するための操作部５６と、を有する。
【００４１】
端子ガイド／係止部５１は、板状のスライド本体５１ａにスライド移動方向に沿って並ぶように、かつ、スライド移動方向に沿った直線に線対称形状になるように設けている。
【００４２】
なお、この実施例では、端子ガイド／係止部５１に頂部５３を４つ形成している。この頂部５３の数は、６つの端子収容室１２に収容する６つの端子１００の数に等しくなっていないが、頂部５３は、全ての端子１００に対応するように６つに形成するようにしてもよい。
【００４３】
仮係止突起５４および本係止突起５５は、スライド本体５１ａの基端側の端縁面に突起するように形成している。
【００４４】
操作部５６は、スライド本体５１ａに対して係止部材５０のスライド移動方向に直交するように連結する板状の操作本体部５６ａを有する。
作業者は、操作本体部５６ａの外表面を押圧することによって、係止部材５０を仮係止位置から本係止位置にスライド移動することができる。
また、作業者は、操作本体部５６ａを引っ張ることによって、係止部材５０を本係止位置から仮係止位置にスライド移動することができる。
【００４５】
次に、端子１００を端子収容室１２内に収容した後に係止部材５０によって端子１００を端子収容室１２内に係止する手順について説明する。
なお、コネクタハウジング１０は、係止部材５０と、嵌合側シール部材２０と、電線引き出し側シール部材３０と、カバー部材４０とを取り付け完了した状態である。また、係止部材５０は、仮係止位置に配置している（図６参照）。
【００４６】
まず、作業者は、各端子付き電線ＣＷの端子１００をカバー部材４０の電線挿通孔４０ａから挿入し、端子収容室１２内の挿入完了位置まで押し込む。
このとき、係止部材５０は、仮係止位置にあるため、係止部材５０の各円弧状曲面５２が係止部材挿入空間１４ａの円弧状の曲面１４ａｂと合わさって全体的に円状の内壁面を形成している。このため、端子１００は、係止部材挿入空間１４ａでガタツクことなく端子収容室１２の挿入完了位置までスムーズに移動することができる。すなわち、係止部材５０の各円弧状曲面５２が、端子１００を挿入方向に誘導するガイド機能をなしている（図８（ａ）参照）。
【００４７】
作業者は、全ての端子収容室１２に端子１００を収容した後、係止部材５０を本係止位置にスライド移動することによって各端子１００を端子収容１２室内に係止する（図７参照）。
これにより、係止部材５０の各頂部５３が端子収容室１２に収容した端子１００の一対の起立壁１３１ｂ、１３１ｂの間で底壁１３１ａに向けて突出する位置に配置する（図８（ｂ）参照）。
この状態で、端子１００に端子収容室１２外に引き抜く外力が作用した場合、端子１００の接続部１１０が頂部５３に当接して端子１００が端子収容室１２外に引き抜かれないようになっている。
また、図９に示すように、端子１００が挿入方向に延びる直線を回転軸とする回転方向に回転した場合、一対の起立壁１３１ｂ、１３１ｂの各起立壁１３１ｂの端縁面１３１ｃが円弧状曲面５２に当接することによって回転が阻止される。
ここで、端子１００が回転した場合、底壁１３１ａから円弧状に屈曲するようにして起立した起立壁１３１ｂの端縁面１３１ｃと、係止部材５０の円弧状曲面５２とが当接することになる。すなわち、起立壁１３１ｂの端縁面１３１ｃと、円弧状曲面５２とは互いの面を当接し易い方向に向けているため、円弧状曲面５２によって端子１００の回転を確実に阻止することができるようになっている。
また、係止部材５０を仮係止位置から本係止位置にスライド移動すると、複数の端子１００が各端子収容室１２内で係止される。
【００４８】
本発明の実施例１に係るコネクタ１は、係止部材５０を仮係止位置に位置した状態で、端子１００を端子収容室１２に挿入すると、係止部材５０の円弧状曲面５２が端子１００を挿入完了位置まで誘導するガイド機能をなし、係止部材５０を仮係止位置から本係止位置にスライド移動すると、係止部材５０の頂部５３が一対の起立壁１３１ｂ、１３１ｂの間で底壁１３１ａに向けて突出する位置に配置するので、端子１００に端子１００の挿入方向に延びる直線を回転軸とする回転方向に外力が作用することによって端子１００が回転した場合、一対の起立壁１３１ｂ、１３１ｂの各起立壁１３１ｂの端縁面１３１ｃが円弧状曲面５２に当接することによって回転が阻止されるので、接続相手端子との接続部分が円筒形状である端子１００であっても、端子収容室１２へ容易に挿入することができつつ、端子収容室１２内での端子１００の回転を確実に阻止することができる。
【００４９】
また、本発明の実施例１に係るコネクタ１は、係止部材５０が複数の端子収容室１２に収容した複数の端子１００を係止するように複数の頂部５３をスライド移動方向に沿って並ぶように形成しているので、スライド移動方向に並ぶ複数の端子収容室１２に収容した複数の端子１００を、仮係止位置では挿入完了位置まで誘導することができ、本係止位置ではまとめて係止することができる。
【実施例２】
【００５０】
次に、図１０−図１４を用いて本発明の実施例２に係るコネクタについて説明する。
図１０は、本発明の実施例２に係るコネクタ２の分解斜視図である。図１１は、コネクタ２の断面図であり、図中上段の端子収容室１２に端子１００を収容した状態を示した図である。図１２は、図１に示した係止部材６０の斜視図である。図１３は、（ａ）が係止部材６０が仮係止位置にあるコネクタ２の断面図を示し、（ｂ）が係止部材６０が本係止位置にあるコネクタ２の断面図である。図１４は、端子１００が係止部材６０によって端子収容室１２内で正規の姿勢に矯正されることを説明するための図である。
この実施例２のコネクタ２は、係止部材６０が端子１００を端子収容室１２内に係止するだけでなく、端子１００を端子収容室１２内での正規の係止姿勢に矯正する機能を有する点で、実施例１のコネクタ１と異なる。
なお、その他の構成は実施例１と同様であり、実施例１と同一構成部分には同一符号を付している。
【００５１】
係止部材６０は、図１２に示すように、端子ガイド／係止部５１と、仮係止突起５４および本係止突起５５と、操作部５６と、に加えてさらに、端子姿勢矯正部６１と、を有する。
【００５２】
端子姿勢矯正部６１は、仮係止位置から本係止位置へのスライド移動で、挿入方向に延びる直線を回転軸とする回転方向での係止姿勢に対して傾いた端子１００の芯線加締め部１２１の底面に当接することによって、本係止位置にて頂部５３が一対の起立壁１３１ｂ、１３１ｂの間で底壁１３１ａに向けて突出する係止位置になるように端子１００を回転する端子姿勢矯正当接面６１ｂを形成した部分である。
【００５３】
この端子姿勢矯正部６１ａは、端子ガイド／係止部５１のスライド本体５１ａと重なるようにして係止部材６０のスライド移動方向Ｄに延びるスライド本体６１ａを有し、このスライド本体６１ａに端子姿勢矯正当接面６１ｂをスライド移動方向に沿って並ぶように、かつ、スライド移動方向に沿った直線に線対称形状になるように設けている。
【００５４】
端子姿勢矯正当接面６１ｂは、より具体的には、仮係止位置から本係止位置へのスライド移動で、スライド移動方向前方側から後方側に向けて、芯線加締め部１２１の底面に当接開始する部分から上り傾斜状になるようにスライド本体６１ａに形成した面である。
なお、端子姿勢矯正当接面６１ｂの傾斜角度、面形状等は、端子１００の形状に応じて適宜調整するとよい。
【００５５】
次に、端子１００を端子収容室１２内に収容した後に係止部材６０によって端子１００を端子収容室１２内に係止する手順について説明する。
なお、コネクタハウジング１０は、係止部材６０と、嵌合側シール部材２０と、電線引き出し側シール部材３０と、カバー部材４０とを取り付け完了した状態である。また、係止部材６０は、仮係止位置に配置している。
【００５６】
まず、作業者は、各端子付き電線ＣＷの端子１００をカバー部材４０の電線挿通孔４０ａから挿入し、端子収容室１２内の挿入完了位置まで押し込む。
このとき、係止部材６０は、仮係止位置にあるため、係止部材６０の各円弧状曲面５２が係止部材挿入空間１４ａの円弧状曲面と合わさって全体的に円状の内壁面を形成している。このため、端子１００は、係止部材挿入空間１４ａでガタツクことなく端子収容室１２の挿入完了位置までスムーズに移動することができる。すなわち、係止部材６０の各円弧状曲面５２が、端子１００を挿入方向に誘導するガイド機能をなしている（図１３（ａ）参照）。
【００５７】
なお、端子１００は、後に係止部材６０によって挿入方向に延びる直線を回転軸とする回転方向での姿勢を正規の姿勢に矯正することができるので、回転方向での正規の姿勢に対して傾いた状態で収容されてもよい。このため、端子１００は、回転方向での姿勢を気にせずに端子収容室１２の挿入完了位置まで挿入することができる。
【００５８】
作業者は、全ての端子収容室１２に端子１００を収容した後、係止部材６０を本係止位置にスライド移動することによって各端子１００を端子収容室１２内に係止する（図１３（ｂ）参照）。
このとき、端子１００が挿入方向に延びる直線を回転軸とする回転方向での正規の姿勢に対して傾いた状態で端子収容室１２内に収容されている場合、図１４に示すように、係止部材６０を仮係止位置から本係止位置に向けてスライド移動開始すると、端子姿勢矯正当接面６１ｂが、芯線加締め部１２１の底面に当接開始する（図１４（ａ）参照）。
【００５９】
さらに、係止部材６０を本係止位置に向けてスライド移動すると、端子姿勢矯正当接面６１ｂが、芯線加締め部１２１の外周面に接触しながらスライド移動するので、芯線加締め部１２１に端子１００を回転する方向の外力が負荷されることによって端子１００が回転する図１４（ｂ）参照）。
【００６０】
さらに、係止部材６０を本係止位置までスライド移動すると、端子１００の頂部５３が一対の起立壁１３１ｂ、１３１ｂの間で底壁１３１ａに向けて突出する係止位置になるように端子１００が回転する。
この状態で、端子１００は、係止部材６０の端子ガイド／係止部５１によって係止される。
【００６１】
本発明の実施例２に係るコネクタ２は、実施例１のコネクタ１と同様に、接続相手端子との接続部分が円筒形状である端子１００であっても、端子収容室１２へ容易に挿入することができつつ、端子収容室１２内での端子１００の回転を確実に阻止することができ、しかも、係止部材５０を仮係止位置から本係止位置へスライド移動すると、端子姿勢矯正部６１によって端子１００を挿入方向に延びる直線を回転軸とする回転方向での正規の姿勢に矯正することができるので、端子１００を回転方向での姿勢を気にせずに端子収容室１２の挿入完了位置まで挿入することができ、結果的に、端子１００を端子収容室１２に挿入する作業を容易にすることができる。
【００６２】
なお、本発明の実施例１、２に係るコネクタ１、２は、コネクタハウジング１０に６つの端子収容室１２を形成するものを例示したが、端子収容室１２の数はこれに限らず、コネクタハウジング１０に少なくとも１つの端子収容室１２を形成するものであればよい。なお、この場合、係止部材５０、６０は、端子収容室１２に対応した数で端子ガイド／係止部５１の頂部５３、あるいは、端子姿勢矯正部６１の端子姿勢矯正当接面６１ｂを形成するとよい。
【００６３】
また、本発明の実施例１、２に係るコネクタ１、２は、端子１００の加締め部１２０が芯線加締め部１２１と、被覆加締め部１２２と、を有し、これら２箇所の加締め部分によって電線Ｗの端末部に加締めるものを例示したが、これに限らず、第一連結部１３１に相当する部分があれば加締め部１２０が１箇所だけであってもよい。
【００６４】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６５】
１、２      コネクタ
１０        コネクタハウジング
１１        端子収容部
１１ａ      ブロック状本体
１２        端子収容室
１２ａ      接続相手端子挿入口
１２ｂ      端子挿入口
１３        フード部
１４        係止部材スライド取付部
１４ａ      係止部材挿入空間
１４ａａ    係止部材挿入口
１４ａｂ    曲面
１４ｂ      位置決め係合部
１５        周壁
１６        収容空間
１６ａ      シール部材保持収容部
１６ｂ      カバー部材保持収容部
２０        嵌合側シール部材
３０        電線引き出し側シール部材
３０ａ      電線挿通孔
４０        カバー部材
４０ａ      電線挿通孔
４０ｂ      係合突起
５０、６０  係止部材
５１        端子ガイド／係止部
５１ａ      スライド本体
５２        円弧状曲面
５３        頂部
５４        仮係止突起
５５        本係止突起
５６        操作部
５６ａ      操作本体部
６１        端子姿勢矯正部
６１ａ      スライド本体
６１ｂ      端子姿勢矯正当接面
１００      端子
１１０      接続部
１２０      加締め部
１２１      芯線加締め部
１２１ａ    底壁
１２１ｂ    加締め片
１２２      絶縁加締め部
１２２ａ    底壁
１２２ｂ    加締め片
１３０      連結部
１３１      第一連結部
１３１ａ    底壁
１３１ｂ    起立壁
１３１ｃ    端縁面
１３２      第二連結部
ＣＷ        端子付き電線
Ｗ          電線
Ｗ１        芯線部
Ｗ２        絶縁被覆
【図１】
2017059383.tif 000003
【図２】
2017059383.tif 000004
【図３】
2017059383.tif 000005
【図４】
2017059383.tif 000006
【図５】
2017059383.tif 000007
【図６】
2017059383.tif 000008
【図７】
2017059383.tif 000009
【図８】
2017059383.tif 000010
【図９】
2017059383.tif 000011
【図１０】
2017059383.tif 000012
【図１１】
2017059383.tif 000013
【図１２】
2017059383.tif 000014
【図１３】
2017059383.tif 000015
【図１４】
2017059383.tif 000016